(57)【要約】【課題】表示された生体信号波形の信頼性をユーザに知らせること。【解決手段】セントラルモニタ１００において、無線受信部１０２は、テレメータ送信機１１０から無線送信された生体信号をアンテナ１０１により受信し、所定の信号処理を行う。制御部１０３は、受信された生体信号の受信信号強度を測定する。そして、制御部１０３は、受信された生体信号を示す波形１２１と、測定された受信信号強度を示す波形１２２とを、表示画面上又は記録用紙上に同期表示する。【選択図】図２
2010057616.tif 000002
【特許請求の範囲】
【請求項１】
無線送信された生体信号を受信する受信手段と、
受信された生体信号の信頼度を測定する測定手段と、
受信された生体信号と測定された信頼度とを同期表示する表示手段と、
を有することを特徴とする生体情報モニタ装置。
【請求項２】
前記表示手段は、受信された生体信号を示す生体信号波形を描画すると共に、測定された信頼度を示す信頼度波形を前記生体信号波形に並べて描画する、
ことを特徴とする請求項１記載の生体情報モニタ装置。
【請求項３】
前記生体信号は、異なる種類の生体信号を含み、
前記信頼度の表示指示を前記表示手段に与える指示手段をさらに有し、
前記表示手段は、前記異なる種類の生体信号をそれぞれ示す複数の生体信号波形を並べて描画している間に、前記指示手段から前記表示指示があった場合には、前記複数の生体信号波形のうち１つの生体信号波形に代えて、前記信頼度波形を描画する、
ことを特徴とする請求項２記載の生体情報モニタ装置。
【請求項４】
前記表示手段は、受信された生体信号を示す生体信号波形を描画すると共に、測定された信頼度に従って、描画された生体信号波形の線の太さを変化させる、
ことを特徴とする請求項１記載の生体情報モニタ装置。
【請求項５】
前記表示手段は、受信された生体信号を示す生体信号波形を描画すると共に、測定された信頼度に従って、描画された生体信号波形の線の濃淡を変化させる、
ことを特徴とする請求項１記載の生体情報モニタ装置。
【請求項６】
前記表示手段は、受信された生体信号を示す生体信号波形を描画すると共に、測定された信頼度に従って、描画された生体信号波形の線の色を変化させる、
ことを特徴とする請求項１記載の生体情報モニタ装置。
【発明の詳細な説明】
【技術分野】
【０００１】
本発明は、生体情報モニタ装置に関する。
【背景技術】
【０００２】
セントラルモニタは、生体情報モニタ装置の一種であり、離れた場所にいる患者の生体信号を医用テレメータ送信機（以下、単に「テレメータ送信機」ともいう。）から受信して表示画面に表示する装置である（例えば特許文献１参照）。テレメータ送信機は、患者に携帯され、患者の生体信号を、無線信号に重畳して送信する。よって、テレメータ送信機が発する無線信号がセントラルモニタ側の受信機に到達する領域の範囲内であればどこからでも、患者の生体信号をテレメータ送信機からセントラルモニタに伝達することができる。
【０００３】
一般に、セントラルモニタは、生体信号を受信すると、その生体信号が正常値か異常値かを判定し、異常値の場合にアラームを発する。例えば心電図の場合、セントラルモニタは、受信した心電波形を画面に表示しつつ、テンプレートマッチング等の解析手法により心電波形を解析し、解析の結果として不整脈が検出されたときにアラームを発する。
【特許文献１】特開２００５−１７７３４２号公報
【発明の開示】
【発明が解決しようとする課題】
【０００４】
しかしながら、上記従来のセントラルモニタにおいては、例えばノイズの影響等により、セントラルモニタの受信感度が低下することがある。この場合に、セントラルモニタが、受信した例えば心電波形に現れているノイズを不整脈と区別できないことがあり、これが誤アラームの原因となっている。このような見かけ上の波形異常が、患者自身の容態の変化に起因するものなのか、或いは受信環境の悪化に起因するものなのか、ユーザは、表示画面を見るだけで判断することができない。すなわち、ユーザは、表示された生体信号波形の信頼性を認識することができない。
【０００５】
本発明は、かかる点に鑑みてなされたもので、表示された生体信号波形の信頼性をユーザに知らせることができる生体情報モニタ装置を提供することを目的とする。
【課題を解決するための手段】
【０００６】
本発明の生体情報モニタ装置は、無線送信された生体信号を受信する受信手段と、受信された生体信号の信頼度を測定する測定手段と、受信された生体信号と測定された信頼度とを同期表示する表示手段と、を有する構成を採る。
【発明の効果】
【０００７】
本発明によれば、表示された生体信号波形の信頼性をユーザに知らせることができる。
【発明を実施するための最良の形態】
【０００８】
以下、本発明の実施の形態について、図面を用いて詳細に説明する。
【０００９】
図１は、本発明の一実施の形態に係る生体情報モニタシステムの構成を示すブロック図である。
【００１０】
図１の生体情報モニタシステムは、セントラルモニタ１００及びテレメータ送信機１１０を有する。本発明の生体情報モニタ装置としてのセントラルモニタ１００は、アンテナ１０１、無線受信部１０２、制御部１０３、ディスプレイ１０４、プリンタ１０５及び表示切替指示部１０６を有し、テレメータ送信機１１０は、生体信号取得部１１１、制御部１１２、無線送信部１１３及びアンテナ１１４を有する。
【００１１】
テレメータ送信機１１０において、生体信号取得部１１１は、アンプ及びアナログディジタル（Ａ／Ｄ）コンバータ等を含む信号処理回路を有し、例えば患者の体表面に装着された電極やセンサから連続的に入力される生体信号（心電図、ＳｐＯ２等）に対し、増幅やＡ／Ｄ変換といった信号処理を施し、信号処理後の生体信号を制御部１１２に供給する。
【００１２】
制御部１１２は、テレメータ送信機１１０における各種機能を制御するためのプログラムを記憶する記憶装置と、当該プログラムを実行するＣＰＵ（Central Processing Unit）を有する。制御部１１２は、生体信号取得部１１１から供給された生体信号を無線送信部１１３に供給する。上記記憶装置は、テレメータ送信機１１０に固有に割り当てられた無線チャネルの番号を示すチャネル情報も記憶する。
【００１３】
無線送信部１１３は、ディジタルアナログ（Ｄ／Ａ）コンバータ及びアップコンバータ等を含む信号処理回路を有し、制御部１１２から供給された生体信号に対しＤ／Ａ変換や無線周波数帯域への周波数変換といった信号処理を施し、信号処理後の生体信号をアンテナ１１４から無線送信する。なお、周波数変換後の周波数は、制御部１１２において記憶されたチャネル情報に示された無線チャネルの番号に応じて固有に定められる。
【００１４】
このようにして、患者から測定された生体信号がリアルタイムでセントラルモニタ１００に伝送される。
【００１５】
一方、セントラルモニタ１００において、本発明の受信手段としての無線受信部１０２は、ダウンコンバータやＡ／Ｄコンバータ等を含む信号処理回路を有し、テレメータ送信機１１０から無線送信された生体信号をアンテナ１０１により受信し、受信した信号に対しベースバンドへの周波数変換やＡ／Ｄ変換といった信号処理を施し、信号処理後の生体信号を制御部１０３に供給する。なお、図１において、セントラルモニタ１００は、１つのテレメータ送信機からの生体信号を受信するものとして記載されているが、通常は個々のテレメータ送信機に対し個別に無線チャネルが割り当てられているので、複数のテレメータ送信機からの生体信号を同時に受信することができる。
【００１６】
本発明の測定手段及び表示手段としての制御部１０３は、セントラルモニタ１００における各種機能を制御するためのプログラムを記憶する記憶装置と当該プログラムを実行するＣＰＵとを有する。制御部１０３は、無線受信部１０２から供給された生体信号を上記記憶装置に記憶し、また、当該生体信号の解析を行う。
【００１７】
また、制御部１０３は、供給された生体信号を示す生体信号波形及び当該生体信号の解析結果を、ディスプレイ１０４の画面上に表示する。また、制御部１０３は、無線受信部１０２により受信された生体信号の受信信号強度を測定し、測定された受信信号強度を上記記憶装置に記憶し、また、当該受信信号強度を上記生体信号波形に同期して表示する。同期表示の態様については後で詳細に説明する。なお、制御部１０３は、生体信号波形、生体信号解析結果及び受信信号強度を、プリンタ１０５により記録用紙上に印刷することにより表示することもできる。このとき、制御部１０３は、生体信号波形及び受信信号強度を互いに同期させることができる。このようにして、セントラルモニタ１００は、生体信号波形に同期して受信信号強度をリアルタイムで表示することができる。
【００１８】
また、制御部１０３は、生体信号及び受信信号強度を上記記憶装置から読み出し、これらと共に生体信号解析結果を表示画面上に或いは記録用紙上に表示することができる。よって、セントラルモニタ１００は、過去の生体信号波形とその時の受信信号強度とを同期表示することができる。
【００１９】
また、制御部１０３は、生体信号波形の表示を行うときに常時、受信信号強度の表示を行ってもよいし、表示切替指示部１０６から切替指示が与えられたときに限り、画面上或いは記録用紙上の表示態様を切り替えて、受信信号強度の表示を行ってもよい。表示態様の切替については、後で詳細に説明する。
【００２０】
本発明の指示手段としての表示切替指示部１０６は、表示態様の切替を指示する信号である表示指示を生成して制御部１０３に供給する。
【００２１】
表示切替指示部１０６から制御部１０３への表示指示の供給は、様々な条件で行うことができる。例えば、ユーザが任意のタイミングでマウスやキーボード等の入力部（図示せず）を操作し、これにより受信信号強度の表示要求が表示切替指示部１０６に入力された場合に、表示指示の供給を行うことができる。或いは、表示切替指示部１０６において受信信号強度を所定の閾値と比較し、受信信号強度がこの閾値を下回った場合に、表示指示の供給を行うことができる。或いは、制御部１０３における生体信号解析の結果、例えば心拍数の異常な上昇等のように生体信号が何らかの異常を示した場合に、表示指示の供給を行うことができる。
【００２２】
次いで、本実施の形態に係る同期表示の態様について説明する。
【００２３】
図２は、生体信号波形と受信信号強度との同期表示態様の一例を示す。図２において、心電波形１２１と、受信信号強度を示す受信信号強度波形１２２とが、上下に並べて描画されている。心電波形１２１において、一部の区間１２３には、見かけ上、ＶＦ（心室細動：Ventricular Tachycardia）のような波形が現れている。しかし、受信信号強度波形１２２においても、区間１２３には、受信信号強度の低下という変化が現れている。よって、ユーザは、この同期表示を見たとき、心電波形１２１に現れているＶＦのような波形は信頼性が低いと認識することができる。
【００２４】
このように、生体信号波形と受信信号強度波形とを並べて描画することにより、生体信号波形において信頼性の低い部分を容易にユーザに知らせることができる。
【００２５】
図３は、生体信号波形と受信信号強度との同期表示態様の他の例を示す。図３においては、描画される波形は、心電波形１３１のみであり、受信信号強度は、心電波形１３１の太さにより表現されている。心電波形１３１の一部の区間１３２には、図２に示す例と同様、見かけ上、ＶＦのような波形が現れている。しかし、区間１３２においては、心電波形１３１の線が細く、つまり、受信信号強度の低下という変化が現れている。よって、ユーザは、この同期表示を見たとき、心電波形１３１に現れているＶＦのような波形は信頼性が低いと認識することができる。
【００２６】
このように、受信信号強度に従って生体信号波形の線の太さを変化させることにより、生体信号波形において信頼性の低い部分を容易にユーザに知らせることができる。また、受信信号強度を波形を使って通知するものではないため、受信信号強度のために制御部１０３において１波形分の記憶領域を確保する必要がなく、よって、他の生体信号波形の表示を省かざるを得ない状況を回避することができる。
【００２７】
なお、受信信号強度に従って、線の色或いは濃淡を変化させる場合も、線の太さを変化させる場合と同様の作用効果を実現することができる。なお、線の太さ、色、濃淡を受信信号強度に応じて変化させる場合には、必要に応じて別のアラームを補助的に出力することが好ましい。
【００２８】
次いで、本実施の形態に係る表示態様の切替について説明する。
【００２９】
図４（ａ）は、セントラルモニタ１００のディスプレイ１０４における一般的な表示態様の一例として、６床２波形表示モードを示す。６床２波形表示モードの表示画面１４０では、６人の患者について、心電波形及びインピーダンス呼吸波形を同期表示したり、これらの波形の解析結果を表示したりすることができる。ここで、図示された１人の患者についての心電波形１４１及びインピーダンス呼吸波形１４２に注目すると、心電波形１４１においては、一部の区間にＶＦのように見える波形が現れている。また、インピーダンス呼吸波形１４２においても、同じ区間に、レベルが最大値と最小値とを激しく往復して変化するような乱れが現れている。この波形の乱れから、心電波形１４１の信頼性が必ずしも高くないことを認識することができるが、その原因が何であるかを客観的に判断することはできない。波形の乱れについては、図４（ｂ）に示すように、インピーダンス呼吸波形１４３のレベルが最低値に固定されるような乱れもあり得る。この場合も、心電波形１４１の信頼性が必ずしも高くないことを認識することができるが、その原因が何であるかを客観的に判断することはできない。
【００３０】
そこで、表示態様の切替の一例では、図５に示すように、心電波形１５１及びインピーダンス呼吸波形１５２を同期表示しつつ、受信信号強度が所定の閾値を下回った場合には、インピーダンス呼吸波形１５２における受信信号強度の低下した部分に代えて、受信信号強度波形１５３を描画する。これにより、生体信号波形において信頼性の低い部分を容易にユーザに知らせることができる。また、図４（ａ）（ｂ）に示す波形の乱れのように実質的に意味をなさない波形の表示を省き、その代わりに表示する波形に、波形の信頼性という重要な情報を載せることができる。
【００３１】
なお、図５に示すように、生体信号波形の一部を受信信号強度波形に置換する場合には、これらの波形を容易に区別し得るよう、線の色や太さを変えることが好ましい。
【００３２】
表示態様の切替の他の例では、受信信号強度が所定の閾値を下回った場合に、表示画面の表示態様が、図４（ａ）に示すように、６床２波形表示モードの表示画面１４０のみを表示する態様から、図６に示すように、６床２波形表示モードの表示画面１６０と共に、受信信号強度が低下した患者についての波形等を表示するモードの表示画面１６１を表示する態様に、切り替えられる。
【００３３】
表示画面１６０においては、１人の患者についての心電波形１６２において、ＶＦのように見える形状が現れている。また、インピーダンス呼吸波形１６３においても、同じ区間に、波形の乱れが現れている。一方、表示画面１６１においては、同じ患者についての心電波形１６４、受信信号強度波形１６５及びインピーダンス呼吸波形１６６等が上下に並べて描画されている。心電波形１６４及びインピーダンス呼吸波形１６６は、表示画面１６０における心電波形１６２及びインピーダンス呼吸波形１６３と同じ生体信号に基づいて生成されたものであるため、同じ形状を有する。表示画面１６１においては、これらの波形の他に、受信信号強度波形１６５が描画されており、受信信号強度波形１６５においては、他の波形において異常な形状が現れている区間に、受信信号強度の低下が現れていることから、この区間における波形は信頼性が低いことを認識することができる。
【００３４】
このように、本実施の形態によれば、生体信号の受信信号強度を生体信号波形に同期して表示するため、ユーザは、生体信号波形に何らかの異常が現れている場合に、その異常が受信信号強度の低下に起因するものであることを、表示画面を見るだけで容易に認識することができる。
【００３５】
なお、本実施の形態においては、生体信号の信頼度の一例として受信信号強度を挙げたが、受信された生体信号から信号の受信品質に関する他の測定値を得ることができる場合は、その測定値を代用し又は併用してもよい。また、セントラルモニタ１００における無線受信部１０２の受信感度を測定し得る場合は、その測定値を代用し又は併用してもよい。
【００３６】
以上、本発明の実施の形態について説明した。なお、以上の説明は本発明の好適な実施の形態の例証であり、本発明の範囲はこれに限定されない。つまり、上記装置の構成並びに画面に表示される内容及びその態様についての説明は一例であり、本発明の範囲においてこれらの例に対する様々な変更や追加が可能であることは明らかである。
【図面の簡単な説明】
【００３７】
【図１】本発明の一実施の形態に係る生体情報モニタシステムの構成を示すブロック図
【図２】本発明の一実施の形態に係る同期表示態様の一例を示す図
【図３】本発明の一実施の形態に係る同期表示態様の他の例を示す図
【図４】セントラルモニタの６床２波形表示モードを示す図
【図５】本発明の一実施の形態に係る表示態様の切替の一例を示す図
【図６】本発明の一実施の形態に係る表示態様の切替の他の例を示す図
【符号の説明】
【００３８】
１００  セントラルモニタ
１０１  アンテナ
１０２  無線受信部
１０３  制御部
１０４  ディスプレイ
１０５  プリンタ
１０６  表示切替指示部
【図１】
2010057616.tif 000003
【図２】
2010057616.tif 000004
【図３】
2010057616.tif 000005
【図４】
2010057616.tif 000006
【図５】
2010057616.tif 000007
【図６】
2010057616.tif 000008